(57)【要約】【課題】容易に破断でき、容易に脱衣可能なパンツ型吸収性物品を提供すること。【解決手段】吸収性本体（１０）と、横方向に伸縮する一対のベルト部（２０）とを有し、吸収性本体（１０）と一対のベルト部（２０）を接合する一対の接合部（２，３）が前側及び後側に設けられ、接合部（２，３）は胴回り開口部側から脚回り開口部側に向かって横方向の外側へ傾斜し、吸収性本体（１０）の長手方向の端部は、胴回り開口部の一部を形成し、且つ横方向に伸縮せず、吸収性本体（１０）の端部の横方向の長さをＬとし、接合部（２，３）から、接合部（２，３）に平行にＬだけ横方向の外側へ離間した位置までの範囲に、縦方向に所定の長さを有する切り取り線（５０）が設けられているパンツ型吸収性物品。【選択図】図４
2018187217.tif 000002
【特許請求の範囲】
【請求項１】
縦方向、横方向、及び、前後方向を有するパンツ型吸収性物品であって、
長手方向に二つ折りされて、前記長手方向が前記縦方向に沿っている吸収性本体と、
前記吸収性本体の前記横方向の両側に配され、前記横方向に伸縮する一対のベルト部と、を有し、
少なくとも前記吸収性本体と前記一対のベルト部のそれぞれとを接合する一対の接合部が、前記前後方向の前側及び後側にそれぞれ設けられ、
前記接合部は、前記縦方向において、胴回り開口部側から脚回り開口部側に向かって、前記横方向の外側へ傾斜し、
前記吸収性本体の前記長手方向の端部は、前記胴回り開口部の一部を形成し、且つ、前記横方向に伸縮せず、
前記吸収性本体の前記端部の前記横方向の長さをＬとしたとき、
前記接合部から、前記接合部に平行に前記Ｌだけ前記横方向の外側へ離間した位置までの範囲に、前記縦方向に所定の長さを有する切り取り線が設けられていること、を特徴とするパンツ型吸収性物品。
【請求項２】
請求項１に記載のパンツ型吸収性物品であって、
前記切り取り線は前記接合部に沿っていることを特徴とするパンツ型吸収性物品。
【請求項３】
請求項１又は請求項２に記載のパンツ型吸収性物品であって、
前記切り取り線は前記脚回り開口部に達していないことを特徴とするパンツ型吸収性物品。
【請求項４】
請求項３に記載のパンツ型吸収性物品であって、
前記ベルト部は、前記横方向に伸縮する複数の糸状弾性部材を前記縦方向に並んで有し、
前記切り取り線は、前記縦方向において、最も前記脚回り開口部側の前記糸状弾性部材よりも前記胴回り開口部側に位置していること、を特徴とするパンツ型吸収性物品。
【請求項５】
請求項３又は請求項４に記載のパンツ型吸収性物品であって、
前記脚回り開口部に沿ってシート状弾性部材が設けられており、
前記切り取り線は、前記縦方向において、前記シート状弾性部材よりも前記胴回り開口部側に位置していること、を特徴とするパンツ型吸収性物品。
【請求項６】
請求項１から請求項５の何れか１項に記載のパンツ型吸収性物品であって、
前記パンツ型吸収性物品の包装状態において、前記ベルト部の前記横方向の端部が前記横方向の内側に折られており、前記吸収性本体が前記横方向に沿う折り位置にて折られており、
前記包装状態において、前記切り取り線は、前記吸収性本体の前記折り位置よりも前記縦方向における前記胴回り開口部側に位置していること、を特徴とするパンツ型吸収性物品。
【請求項７】
請求項１から請求項６の何れか１項に記載のパンツ型吸収性物品であって、
前記吸収性本体は液体を吸収する吸収性コアを有し、
前記吸収性本体の前記端部の前記横方向の長さは、前記吸収性コアの前記横方向の長さよりも短いこと、を特徴とするパンツ型吸収性物品。
【請求項８】
請求項１から請求項７の何れか１項に記載のパンツ型吸収性物品であって、
前記前側及び前記後側にそれぞれ前記切り取り線が設けられており、
前記後側の前記切り取り線の方が、前記前側の前記切り取り線に比べて、前記縦方向の長さが短いこと、を特徴とするパンツ型吸収性物品。
【発明の詳細な説明】
【技術分野】
【０００１】
本発明は、パンツ型吸収性物品に関する。
【背景技術】
【０００２】
特許文献１には、着用者の腹側に配される腹側外装体と、着用者の背側に配される背側外装体と、両外装体に架け渡された吸収性本体とを備え、両外装体の縦方向に沿う両側縁部が接合されて一対のサイドシール部、ウェスト開口部、及び、一対のレッグ開口部が形成されたパンツ型吸収性物品が開示されている。  
また、特許文献１には、パンツ型吸収性物品の脱衣が容易となるように、吸収性本体とサイドシール部の間に、ウェスト開口部からレッグ開口部に亘る破断誘導切込み部が設けられている。
【先行技術文献】
【特許文献】
【０００３】
【特許文献１】特開２０１５−９２９５７号公報
【発明の概要】
【発明が解決しようとする課題】
【０００４】
但し、特許文献１のパンツ型吸収性物品では、ウェスト開口部の全周に亘り弾性部材が配されている。そのため、使用者は、破断誘導切込み部の両側を把持して破断する際に、両手ともに、弾性部材により横方向に伸長する領域を把持しなければならない。そうすると、把持した部分が横方向に伸長するため固定し難かったり、把持した位置が破断誘導切込み部から大きく離れるため意図しない位置が破断したりする恐れがある。よって、パンツ型吸収性物品が破断し難く、パンツ型吸収性物品の脱衣が容易にならない。
【０００５】
本発明は、上記のような従来の問題に鑑みてなされたものであって、その目的は、容易に破断でき、容易に脱衣可能なパンツ型吸収性物品を提供することにある。
【課題を解決するための手段】
【０００６】
上記目的を達成するための主たる発明は、縦方向、横方向、及び、前後方向を有するパンツ型吸収性物品であって、長手方向に二つ折りされて、前記長手方向が前記縦方向に沿っている吸収性本体と、前記吸収性本体の前記横方向の両側に配され、前記横方向に伸縮する一対のベルト部と、を有し、少なくとも前記吸収性本体と前記一対のベルト部のそれぞれとを接合する一対の接合部が、前記前後方向の前側及び後側にそれぞれ設けられ、前記接合部は、前記縦方向において、胴回り開口部側から脚回り開口部側に向かって、前記横方向の外側へ傾斜し、前記吸収性本体の前記長手方向の端部は、前記胴回り開口部の一部を形成し、且つ、前記横方向に伸縮せず、前記吸収性本体の前記端部の前記横方向の長さをＬとしたとき、前記接合部から、前記接合部に平行に前記Ｌだけ前記横方向の外側へ離間した位置までの範囲に、前記縦方向に所定の長さを有する切り取り線が設けられていること、を特徴とするパンツ型吸収性物品である。
本発明の他の特徴については、本明細書及び添付図面の記載により明らかにする。
【発明の効果】
【０００７】
本発明によれば、容易に破断でき、容易に脱衣可能なパンツ型吸収性物品を提供することができる。
【図面の簡単な説明】
【０００８】
【図１】おむつ１の概略斜視図である。
【図２】図２Ａは長手方向に伸長させた状態のおむつ１の平面図であり、図２Ｂは図２ＡのＡＡ線の断面図である。
【図３】図３Ａは図２Ａの接合部を分離して展開したおむつ１の平面図であり、図３Ｂは図３ＡのＡＡ線の断面図である。
【図４】パンツ型状態のおむつ１を前側から見た図である。
【図５】パンツ型状態のおむつ１を後側から見た図である。
【図６】図６Ａから図６Ｃはおむつ１の折り畳み方法の説明図である。
【図７】図７Ａから図７Ｃはおむつ１の変形例の説明図である。
【発明を実施するための形態】
【０００９】
本明細書及び添付図面の記載により、少なくとも以下の事項が明らかとなる。
【００１０】
縦方向、横方向、及び、前後方向を有するパンツ型吸収性物品であって、長手方向に二つ折りされて、前記長手方向が前記縦方向に沿っている吸収性本体と、前記吸収性本体の前記横方向の両側に配され、前記横方向に伸縮する一対のベルト部と、を有し、少なくとも前記吸収性本体と前記一対のベルト部のそれぞれとを接合する一対の接合部が、前記前後方向の前側及び後側にそれぞれ設けられ、前記接合部は、前記縦方向において、胴回り開口部側から脚回り開口部側に向かって、前記横方向の外側へ傾斜し、前記吸収性本体の前記長手方向の端部は、前記胴回り開口部の一部を形成し、且つ、前記横方向に伸縮せず、前記吸収性本体の前記端部の前記横方向の長さをＬとしたとき、前記接合部から、前記接合部に平行に前記Ｌだけ前記横方向の外側へ離間した位置までの範囲に、前記縦方向に所定の長さを有する切り取り線が設けられていること、を特徴とするパンツ型吸収性物品である。
【００１１】
このようなパンツ型吸収性物品によれば、切り取り線によりベルト部を容易に破断できる。また、横方向に伸縮しない吸収性本体の長手方向の端部を使用者が把持するように誘導できる。その結果、使用者は、一方の手で吸収性本体の長手方向の端部をしっかりと固定した状態で、他方の手で切り取り線を安定して引っ張ることができる。また、切り取り線を引っ張った際に、使用者が把持した位置が切り取り線から大きく離れないため、切り取り線に沿ってベルト部を綺麗に且つ容易に破断できる。よって、パンツ型吸収性物品の脱衣が容易となる。
【００１２】
かかるパンツ型吸収性物品であって、前記切り取り線は前記接合部に沿っていることを特徴とするパンツ型吸収性物品である。
【００１３】
このようなパンツ型吸収性物品によれば、切り取り線に一定に力が作用し易く、切り取り線に沿ってベルト部を綺麗に且つ容易に破断できる。
【００１４】
かかるパンツ型吸収性物品であって、前記切り取り線は前記脚回り開口部に達していないことを特徴とするパンツ型吸収性物品である。
【００１５】
このようなパンツ型吸収性物品によれば、切り取り線の破断の勢いを抑えることができ、破断の最後は、使用者が脚回り開口部ＬＨ付近を持ち直し、且つ、慎重にベルト部を破断して展開するように誘導できる。
【００１６】
かかるパンツ型吸収性物品であって、前記ベルト部は、前記横方向に伸縮する複数の糸状弾性部材を前記縦方向に並んで有し、前記切り取り線は、前記縦方向において、最も前記脚回り開口部側の前記糸状弾性部材よりも前記胴回り開口部側に位置していること、を特徴とするパンツ型吸収性物品である。
【００１７】
このようなパンツ型吸収性物品によれば、糸状弾性部材により切り取り線の破断の勢いを抑えることができる。
【００１８】
かかるパンツ型吸収性物品であって、前記脚回り開口部に沿ってシート状弾性部材が設けられており、前記切り取り線は、前記縦方向において、前記シート状弾性部材よりも前記胴回り開口部側に位置していること、を特徴とするパンツ型吸収性物品である。
【００１９】
このようなパンツ型吸収性物品によれば、シート状弾性部材により切り取り線の破断の勢いを抑えることができる。
【００２０】
かかるパンツ型吸収性物品であって、前記パンツ型吸収性物品の包装状態において、前記ベルト部の前記横方向の端部が前記横方向の内側に折られており、前記吸収性本体が前記横方向に沿う折り位置にて折られており、前記包装状態において、前記切り取り線は、前記吸収性本体の前記折り位置よりも前記縦方向における前記胴回り開口部側に位置していること、を特徴とするパンツ型吸収性物品である。
【００２１】
このようなパンツ型吸収性物品によれば、切り取り線及びその周辺に、横方向に沿う折り癖が付いてしまうこと防止できる。よって、切り取り線に沿ってベルト部を綺麗且つ容易に破断できる。
【００２２】
かかるパンツ型吸収性物品であって、前記吸収性本体は液体を吸収する吸収性コアを有し、前記吸収性本体の前記端部の前記横方向の長さは、前記吸収性コアの前記横方向の長さよりも短いこと、を特徴とするパンツ型吸収性物品である。
【００２３】
このようなパンツ型吸収性物品によれば、接合部により近い位置に切り取り線が設けられるため、吸収性本体の長手方向の端部を使用者が把持するように誘導できる。
【００２４】
かかるパンツ型吸収性物品であって、前記前側及び前記後側にそれぞれ前記切り取り線が設けられており、前記後側の前記切り取り線の方が、前記前側の前記切り取り線に比べて、前記縦方向の長さが短いこと、を特徴とするパンツ型吸収性物品である。
【００２５】
このようなパンツ型吸収性物品によれば、着用中に、後側のベルト部の方が前側のベルト部に比べて、臀部の丸みの分だけ横方向に伸長し易いため、後側の切り取り線の長さが短いことで、ベルト部の不用な破断を防止できる。
【００２６】
＝＝＝実施形態＝＝＝
以下、本発明に係るパンツ型吸収性物品として、大人向けのパンツ型使い捨ておむつを例に挙げて実施形態を説明する。但し、本発明に係るパンツ型吸収性物品は、例えば、乳幼児向けのおむつや、ショーツ型の生理用ナプキン等としても利用可能である。
【００２７】
＜＜パンツ型使い捨ておむつ１の基本構成＞＞
図１はパンツ型使い捨ておむつ１（以下「おむつ」）の概略斜視図である。図２Ａは吸収性本体１０及びベルト部２０の長手方向に伸長させた状態のおむつ１の平面図であり、図２Ｂは図２ＡのＡＡ線の断面図である。図３Ａは図２Ａの接合部を分離して展開したおむつ１の平面図であり、図３Ｂは図３ＡのＡＡ線の断面図である。
【００２８】
なお、おむつ１を伸長させた状態とは、おむつ１に生じていた皺が実質的に視認されなくなる程におむつ１を伸長させた状態である。具体的には、おむつ１を構成する各部材（例えば図３Ｂに示すシート４１等）の寸法がその部材単体の寸法と一致又はそれに近い長さになるまで伸長させた状態である。
【００２９】
おむつ１は、着用時において図１に示すようなパンツ型状態となる。パンツ型状態のおむつ１は、互いに直交する縦方向、横方向、及び、前後方向を有し、胴回り開口部ＢＨ、及び、一対の脚回り開口部ＬＨが形成されている。縦方向において、胴回り開口部ＢＨ側を上側とし、その反対側を下側とする。前後方向において着用者の腹側を前側とし、着用者の背側を後側とする。また、図２Ｂに示すように、おむつ１を構成する各部材が積層された方向を厚さ方向とする。厚さ方向において、着用者に接する側を肌側とし、その反対側を非肌側とする。
【００３０】
おむつ１は、吸収性本体１０、一対のベルト部２０、及び、一対のレッグギャザー部３０を有する。一対のレッグギャザー部３０は吸収性本体１０の横方向の両側部に沿って配されている。
【００３１】
図２Ａに示す平面状態のおむつ１では、吸収性本体１０、一対のベルト部２０、及び、一対のレッグギャザー部３０の各長手方向が揃い、吸収性本体１０及び一対のレッグギャザー３０の肌側面上に一対のベルト部２０が重ねられ、また、互いの肌側面が対向している。この平面状態のおむつ１において、一対のベルト部２０の横方向の内側端２０ａを外側に開き、ベルト部２０をその長手方向の略中央で二つ折りしつつ、吸収性本体１０及びレッグギャザー部３０をその長手方向の略中央で二つ折りすることで、パンツ型状態のおむつ１（図１）になる。
【００３２】
パンツ型状態のおむつ１（図１）では、吸収性本体１０及び一対のレッグギャザー部３０は、その長手方向がおむつ１の縦方向に沿うように二つ折りされている。一対のベルト部２０は、吸収性本体１０の横方向の両側に配されている。詳しく説明すると、各ベルト部２０の一端は、前側の接合部２において、吸収性本体１０及びレッグギャザー部３０の長手方向の端部に接合されており、各ベルト部２０の他端は、後側の接合部３において、吸収性本体１０及びレッグギャザー部３０の長手方向の端部に接合されている。つまり、おむつ１には、一対の接合部２，２、３，３が前後方向の前側及び後側にそれぞれ設けられている。
【００３３】
また、各接合部２，３は、おむつ１の縦方向において、胴回り開口部ＢＨ側から脚回り開口部ＬＨ側に向かって、横方向の外側へ傾斜している。接合部２，３での接合方法としては、ヒートシール、超音波シール、接着剤、これらの組み合わせ等、公知の接合方法を例示できる。
【００３４】
また、パンツ型状態のおむつ１において、ベルト部２０は横方向に伸縮可能であり、レッグギャザー部３０は縦方向に伸縮可能であり、おむつ１は着用者の胴回りや脚回りにフィットする。そのために、ベルト部２０は、横方向に伸縮する複数の弾性部材２１を縦方向に並んで有している。レッグギャザー部３０は、縦方向に伸縮する複数の弾性部材３１を横方向に並んで有している。なお、弾性部材２１，３１としては、ゴムやスパンデックス等の糸状弾性部材を例示できるが、伸縮性不織布や伸縮性フィルム等のシート状弾性部材であってもよい。また、ベルト部２０及びレッグギャザー部３０には、脚回り開口部ＬＨの全周に亘る縁部において、シート状弾性部材４２が配されている。
【００３５】
吸収性本体１０では、図２Ｂに示すように、厚さ方向の肌側から、液透過性のトップシート１１（例えばエアスルー不織布等）、吸収体１２、液不透過性のバックシート１３（例えばポリエチレンフィルム等）、外装シート１４（例えば不織布等の柔軟なシート）が積層されている。吸収体１２では、液体を吸収する吸収性コアに、液透過性のコアラップシート（例えばティッシュ等）が被覆されている。吸収性コアとして、パルプ繊維等の液体吸収性繊維に高吸収性ポリマーが含有されたものを例示できる。
【００３６】
また、図３Ａに示すように、吸収性本体１０の長手方向の各端部には、トップシート１１よりも肌側に疎水性シート１５が設けられている。疎水性シート１５により、吸収性本体１０に吸収された排泄液が肌側に戻って染み出すことを抑制でき、着用者に不快感を与え難くすることができる。
【００３７】
また、レッグギャザー部２０及びベルト部３０は、図３Ｂに示すように、同一のシート部材４０から形成されている。シート部材４０では、２枚のシート４１（例えば不織布等の柔軟なシート）の間に、ベルト部２０用の弾性部材２１、レッグギャザー部３０用の弾性部材３１、及び、脚回り開口部ＬＨに沿うシート状弾性部材４２が配されている。そして、２枚のシート４１及びシート状弾性部材４２には、脚回り開口部ＬＨ用の孔がくり抜かれている。
【００３８】
おむつ１の製造ラインでは、図３Ｂに示すように、吸収性本体１０の横方向の両側に一対のシート部材４０が配される。そして、吸収性本体１０の長手方向に沿い、且つ、脚回り開口ＬＨ用の孔を通過する折り位置Ｆ０にて、シート部材４０は吸収性本体１０の肌側面側に折り返され、図２Ｂの状態となる。シート部材４０のうち、吸収性本体１０と厚さ方向に重なる部位がベルト部２０となり、吸収性本体１０と横方向に並ぶ部位がレッグギャザー部３０となる。そして、前側の一対の接合部２，２及び後側の一対の接合部３，３が形成されることで、シート部材４０の折り返し状態が固定され、平面状態のおむつ１（図２Ａ）が形成される。但しこれに限定されず、ベルト部２０とレッグギャザー部３０が別部材で形成されていてもよい。
【００３９】
＜＜切り取り線５０＞＞
図４はパンツ型状態のおむつ１を前側から見た図である。図５はパンツ型状態のおむつ１を後側から見た図である。
【００４０】
おむつ１には、図４に示すように、前側の一対の接合部２，２の横方向の外側であるベルト部２０に「一対の切り取り線５０」が設けられている。また、図５に示すように、後側の一対の接合部３，３の横方向の外側であるベルト部２０にも「一対の切り取り線５０」が設けられている。切り取り線５０は、胴回り開口部ＢＨから脚回り開口部ＬＨに向かって延びており、縦方向に所定の長さ（Ｌａ，Ｌｂ）を有する。
【００４１】
切り取り線５０が配されたベルト部２０の部位は、周囲に比べて強度が弱く、破断し易くなっている。切り取り線５０としては、複数の穴部が間隔を空けて並んだものを例示できる。複数の穴部とは、ベルト部２０を構成するシート４１が薄くなった部位、或いは、貫通した部位である。その他、切り取り線５０として、シート４１が連続して薄くなった溝状のもの等を例示できる。
【００４２】
着用者自身がおむつ１を脱ぐか、或いは介護者が着用者からおむつ１を脱がせる際に、着用者や介護者（以下、使用者）が切り取り線５０を破断することで、一対のベルト部２０が横方向に展開し、吸収性本体１０がその長手方向に展開する。そのため、おむつ１を引き下げて脚を抜いて脱ぐ場合に比べて、脱衣が容易となる。また、接合部２，３を破断する場合に比べて、弱い力でおむつ１を容易に破断でき、脱衣が容易となる。
【００４３】
図４や図５に示すように、おむつ１では、吸収性本体１０の長手方向の端部１０ａが、おむつ１の上端部まで延びており、ベルト部２０と共に胴回り開口部ＢＨを形成している。ベルト部２０は弾性部材２１を有して横方向に伸縮するのに対して、吸収性本体１０の長手方向の端部１０ａは横方向に伸縮しない。
【００４４】
また、一般に使用者は切り取り線５０の上方から破断する。また、切り取り線５０の破断時に、使用者は切り取り線５０の両側を把持するが、両手でそれぞれ把持する部分の中央に切り取り線５０が位置するように把持する。
【００４５】
そこで、図４や図５に示すように、自然状態、すなわち外部から力を加えていない平置き状態であるパンツ型状態のおむつ１において、吸収性本体１０の長手方向の端部１０ａの横方向の長さをＬとしたとき、接合部２，３から、接合部２，３に平行に長さＬだけ横方向の外側へ離間した位置までの範囲（図中の一対の一点鎖線４で挟まれた範囲）に、切り取り線５０を設けるとよい。
【００４６】
仮に、上記の範囲よりも横方向の外側の位置、すなわち吸収性本体１０の長手方向の端部１０ａから離れた位置に、切り取り線５０が設けられたとする。その場合、切り取り線５０の破断時に、使用者は両手共にベルト部２０を把持し易い。そうすると、例えば、切り取り線５０の一方側の部分を把持した手を固定して、切り取り線５０の他方側の部分を把持した手を横方向に引っ張った際に、固定した部分が横方向に伸長して固定し難く、引っ張りが不安定になってしまう。また、切り取り線５０の横方向の両側が共に伸長するため、使用者が両手でそれぞれ把持した位置が切り取り線５０から大きく離れてしまう。そうすると、切り取り線５０に力が作用し難く、糸状の弾性部材２１に沿って横裂けする等、意図しない位置でベルト部２０が破断する恐れがある。
【００４７】
そのため、上記の範囲内に切り取り線５０を設けるとよい。そうすることで、両手でそれぞれ把持する部分の中央に切り取り線５０が位置するように使用者がおむつ１を把持した際に、片側の手は吸収性本体１０の長手方向の端部１０ａを把持し易くなる。つまり、横方向に伸縮しない吸収性本体１０の長手方向の端部１０ａを把持するように使用者を誘導できる。
【００４８】
そうすると、使用者は、横方向に伸縮しない吸収性本体１０の長手方向の端部１０ａを一方の手でしっかりと固定した状態で、他方の手で切り取り線５０を横方向の外側に安定して引っ張ることができ、切り取り線５０を容易に破断できる。また、切り取り線５０を引っ張った際に、使用者が把持した吸収性本体１０の長手方向の端部１０ａから切り取り線５０が大きく離れず、切り取り線５０に力が作用し易い。よって、弱い力でも、切り取り線５０に沿ってベルト部２０を綺麗に且つ容易に破断できる。
【００４９】
なお、吸収性本体１０の長手方向の端部１０ａの縦方向の範囲として以下の範囲を例示できる。例えば、ベルト部２０の上端部２０ａが図２Ｂに示すように折り返されている場合、その折り返し部分２０ａと縦方向に重複する吸収性本体１０の部位を、吸収性本体１０の長手方向の端部１０ａにするとよい。この場合、本実施形態のおむつ１では、吸収性本体１０の上端１０ａ１から縦方向の下側へ２０ｍｍまでの範囲が端部１０ａとなる。その他、図３Ａに示す疎水性シート１５と縦方向に重複する吸収性本体１０の部位を、吸収性本体１０の長手方向の端部としてもよい。
【００５０】
また、おむつ１では、接合部２，３が縦方向の下側に向かって横方向の外側に傾斜しており、吸収性本体１０は上方に向かって先細りした形状を成している。そのため、吸収性本体１０の長手方向の端部１０ａのうち、下端１０ａ２の横方向の長さＬ２が上端１０ａ１の横方向の長さＬ１よりも長くなっている。したがって、接合部２，３から、接合部２，３に平行に、吸収性本体１０の長手方向の端部１０ａの下端１０ａ２の横方向の長さＬ２だけ横方向の外側へ離間した位置までの範囲に、切り取り線５０が設けられていればよい。
【００５１】
そして、より好ましくは、接合部２，３から、接合部２，３に平行に、吸収性本体１０の上端１０ａ１の横方向の長さＬ１だけ横方向の外側へ離間した位置までの範囲に、切り取り線５０が設けられているとよい。そうすることで、吸収性本体１０の長手方向の端部１０ａにより近い位置に切り取り線５０が設けられる。よって、吸収性本体１０の長手方向の端部１０ａを把持するように使用者をより誘導し易くなる。本実施形態のおむつ１では、接合部２，３から、接合部２，３に平行に５ｍｍ横方向の外側へ離間した位置に、切り取り線５０が設けられているとする。
【００５２】
また、接合部２，３が縦方向の下側に向かって横方向の外側に傾斜していることで、例えば接合部２，３が縦方向に沿って真っ直ぐである場合に比べて、吸収性本体１０の長手方向の端部１０ａの横方向の長さを短くできる。
【００５３】
更にいえば、吸収性本体１０の長手方向の端部１０ａの横方向の長さＬを、吸収性コア１２の横方向の長さＷよりも短くするとよい。
【００５４】
そうして吸収性本体１０の長手方向の端部１０ａの横方向の長さＬをより短くすることで、吸収性本体１０の長手方向の端部１０ａにより近い位置に切り取り線５０が設けられる。よって、吸収性本体１０の長手方向の端部１０ａの横方向の長さＬが吸収性コア１２の横方向の長さＷ以上である場合に比べて、吸収性本体１０の長手方向の端部１０ａを把持するように使用者をより誘導し易くなる。また、使用者が把持するように誘導する範囲が狭くなるため、使用者は切り取り線５０により近い位置を把持することになる。よって、切り取り線５０に力が作用し易く、切り取り線５０をより容易に破断できる。
【００５５】
また、切り取り線５０は接合部２，３に沿っていることが好ましい。切り取り線５０が接合部２，３に沿っているとは、接合部２，３と同様に、切り取り線５０も、縦方向において、胴回り開口部ＢＨ側から脚回り開口部ＬＨ側に向かって、横方向の外側へ傾斜した直線形状を成すということである。より好ましくは、切り取り線５０が接合部２，３と平行であるとよい。
【００５６】
そうすることで、剛性が高く引っ張り力に対抗する接合部２，３から切り取り線５０までの距離が一定となり、切り取り線５０に一定に力が作用し易い。よって、切り取り線５０に沿ってベルト部２０を綺麗に且つ容易に破断できる。
【００５７】
但し、上記に限らず、切り取り線５０は、縦方向に所定の長さを有し、切り取り線５０の破断によりベルト部２０を横方向に展開できるものであれば何れの形状でもよい。例えば、切り取り線５０が波線形状等であってもよい。
【００５８】
また、おむつ１では、図２に示すように、吸収性本体１０を横方向に２分する縦中心線ＣＬと前側の接合部２との成す角度θ１が、縦中心線ＣＬと後側の接合部３との成す角度θ２よりも大きくなっている。そうすることで、接合部２の傾斜が緩やかな前側では、ベルト部２０が横方向の外側に向かって上方に傾斜する傾向となる。逆に後側では、ベルト部２０が横方向の中心に向かって上方に傾斜する傾向となる。そのため、前側では、ベルト部２０により着用者の脚の動きが阻害されてしまうことを防止できる。一方、後側では、おむつ１を上方に引き上げることができ、着用者の臀部を覆うことができる。そして、切り取り線５０に関しても、前側と後側とで縦中心線ＣＬとの成す角度が異なっていてもよい。
【００５９】
また、前述したように、使用者は一般に切り取り線５０の上方から破断する。そのため、切り取り線５０の上端５０ａ（胴回り開口部ＢＨ側の端）は、胴回り開口部ＢＨに達しているか、或いは、ベルト部２０の上端部２０ａ（例えばベルト部２０が折り返されている部分）に位置していることが好ましい。そうすることで、比較的に弱い力で切り取り線５０の破断を開始でき、切り取り線５０を容易に破断できる。
【００６０】
一方、切り取り線５０の下端５０ｂ（脚回り開口部ＬＨ側の端）は、脚回り開口部ＬＨに達していないことが好ましい。仮に、切り取り線５０が脚回り開口部ＬＨまで達していると、最後まで切り取り線５０に沿ってベルト部２０が勢いよく破断される。そうすると、ベルト部２０が勢いよく展開し、排泄物が散乱する恐れがある。また、切り取り線５０の破断が進むにつれて、最初に使用者が把持した胴回り開口部ＢＨ付近の位置と、破断する位置とが離れる。そうすると、切り取り線５０に力が作用し難く、糸状の弾性部材２１に沿って横裂けする等、意図しない位置でベルト部２０が破断する恐れがある。
【００６１】
そこで、切り取り線５０を脚回り開口部ＬＨの手前で止めることで、切り取り線５０の破断の勢いを抑えることができる。よって、最後は慎重にベルト部２０を破断して展開するように使用者を誘導できる。また、使用者が脚回り開口部ＬＨ付近を持ち直すように誘導できる。よって、意図しない位置でのベルト部２０の破断を防止できる。
【００６２】
具体的には、縦方向において、ベルト部２０が有する糸状の弾性部材２１のうち最も脚回り開口部ＬＨ側の弾性部材２１ａよりも胴回り開口部ＢＨ側に、切り取り線５０が位置しているとよい。
【００６３】
そうすることで、糸状弾性部材２１により、切り取り線５０の破断の勢いを抑えることができる。よって、破断の最後は、使用者が脚回り開口部ＬＨ付近を持ち直し、且つ、慎重にベルト部２０を破断して展開するように誘導できる。
【００６４】
その他、縦方向において、脚回り開口部ＬＨに沿うシート状弾性部材４２よりも胴回り開口部ＢＨ側に、切り取り線５０が位置していてもよい。
【００６５】
そうすることで、シート状弾性部材４２により、切り取り線５０の破断の勢いを抑えることができる。よって、破断の最後は、使用者が脚回り開口部ＬＨ付近を持ち直し、且つ、慎重にベルト部２０を破断して展開するように誘導できる。
【００６６】
但し、上記に限らない。例えば、本実施形態のおむつ１では、硬い接合部２，３が着用者の脚に当たらないように、接合部２，３が脚回り開口部ＬＨに達していない。そこで、切り取り線５０の長さを接合部２，３の長さと同じにしてもよい。また、切り取り線５０が脚回り開口部ＬＨに達していてもよい。なお、接合部２，３よりも切り取り線５０の方が長い場合、接合部２，３及びその延長線から、それらに平行に長さＬだけ横方向の外側へ離間した位置までの範囲に、切り取り線５０を設けるとよい。
【００６７】
また、おむつ１では、前側及び後側にそれぞれ一対の切り取り線５０が設けられている。前側の切り取り線５０（５１）が設けられていることで、例えば着用者自身がおむつ１を脱ぐ場合に、破断の開始位置を見つけ易く、また、体や腕を大きく動かすことなく切り取り線５０（５１）を容易に破断できる。一方、後側の切り取り線５０（５２）が設けられていることで、後側のベルト部２０の部分が吸収性本体１０から離れて前側に展開する。そのため、着用者の股下部から引き抜くおむつ１の面積が減り、おむつ１の脱衣が容易となる。
【００６８】
また、後側の切り取り線５０（５２）の縦方向の長さＬｂを、前側の切り取り線５０（５１）の縦方向の長さＬａに比べて短くするとよい（Ｌｂ＜Ｌａ）。換言すると、切り取り線５０に沿う方向において、切り取り線５０の下端５０ｂから脚回り開口部ＬＨまでの長さが、前側に比べて後側の方が長くなっているとよい。
【００６９】
これは、後側のベルト部２０の方が前側のベルト部２０に比べて、肉の付いた臀部の分だけ、着用者が立ったり座ったりする際に横方向に大きく伸長するからである。そのため、後側の切り取り線５０（５２）を短くすることで、ベルト部２０の不用な破断を防止できる。
【００７０】
但し、上記に限らない。前側の切り取り線５０（５１）の縦方向の長さと、後側の切り取り線５０（５２）の縦方向の長さとが、同じであってもよい。  
また、前後方向の一方側にのみ一対の切り取り線５０が設けられていてもよい。この場合、切り取り線５０の有無でおむつ１の前後判断を行える。  
また、前側の一対の接合部２，２のうちの片側の接合部２側にのみ切り取り線５０が設けられていたり、後側の一対の接合部３，３のうちの片側の接合部３側にのみ切り取り線５０が設けられていたりしてもよい。この場合も、切り取り線５０が無い場合に比べて、おむつ１の脱衣が容易となる。
【００７１】
図６Ａから図６Ｃはおむつ１の折り畳み方法の説明図である。通常おむつ１は個別に又は複数個まとめて包装された状態で流通する。本実施形態のおむつ１は、包装状態において、ベルト部２０の横方向の端部が横方向の内側に折られており、吸収性本体１０が横方向に沿う折り位置にて折られているものとする。
【００７２】
具体的に説明すると、まず、図６Ａに示す折り位置Ｆ１にて、ベルト部２０の横方向の端部が、その非肌側面同士が対向するように横方向の内側に折られる。その結果、図６Ｂに示すように、ベルト部２０の横方向の端部が、２つ折りされている吸収性本体１０に挟まれる状態となる。その後、おむつ１の縦方向略中央の、横方向に沿う折り位置Ｆ２にて、吸収性本体１０が縦方向に２つ折りされ、おむつ１は図６Ｃの状態となる。この状態でおむつ１は包装される。また、図示しないが、ベルト部２０の横方向の端部が、吸収性本体１０の非肌側面上に位置するように横方向の内側に折られた後に、吸収性本体１０が折り位置Ｆ２にて折られてもよい。
【００７３】
上記のようにおむつ１が折り畳まれる場合、おむつ１の包装状態（図６Ｃの状態）において、切り取り線５０は、吸収性本体１０の横方向に沿う折り位置Ｆ２よりも縦方向における胴回り開口部ＢＨ側に位置していることが好ましい。
【００７４】
そうすることで、切り取り線５０及びその周辺に、横方向に沿う折り癖が付いてしまうことを防止できる。よって、切り取り線５０の破断途中に、ベルト部２０が折り癖に沿って横裂きしてしまうことを防止でき、切り取り線５０に沿ってベルト部２０を綺麗に且つ容易に破断できる。
【００７５】
＜＜変形例＞＞
図７Ａから図７Ｃはおむつ１の変形例の説明図である。変形例のおむつ１は、図７Ａに示すように、切り取り線５０を跨ぐようにフックシート６０を備えている。フックシート６０は、例えば面ファスナーの雄材（フック状の突起）を備えるシートであり、ベルト部２０を構成する不織布に係止可能なシートである。フックシート６０は、ベルト部２０の非肌側面に設けられており、突起が設けられた面がベルト部２０と対向している。ここでは、図７Ｂに示すように、接合部３において、吸収性本体１０とベルト部２０の間にフックシート６０が固定されているとする。但し、これに限らず、例えば接着剤でフックシート６０をベルト部２０に固定してもよい。また、ベルト部２０にフックシート６０を直接係止するに限らず、ベルト部２０の非肌側面に面ファスナーの雌材を設けてもよい。
【００７６】
変形例のおむつ１では、使用者が切り取り線５０を破断した際に、ベルト部２０は破断するが、フックシート６０は破断しない。そのため、図７Ｃに示すように、フックシート６０（突起が設けられた面）が露出する。よって、切り取り線５０の破断後も、ベルト部２０の非肌側面をフックシート６０に係止することで、おむつ１を再度着用できる。
【００７７】
このようなおむつ１によれば、切り取り線５０の破断後に、使用者が排泄状況を確認し、着用中のおむつ１をまだ使用可能であると判断した場合、フックシート６０を利用して、おむつ１を再度着用できる。また、おむつ１の中に吸収性パッドを入れて使用する場合に、吸収性パッドを容易に交換できる。また、フックシート６０が切り取り線５０を跨いでいることで、切り取り線５０が不用に破れてしまうことを抑制できる。また、切り取り線５０が不用に破れたとしても、フックシート６０を利用して、おむつ１を着用できる。
【００７８】
なお、図７Ａでは、フックシート６０と切り取り線５０の長さを同じにしているが、これに限らず、フックシート６０が切り取り線５０よりも短くても長くてもよい。フックシート６０を短くすることで、着用者に違和感を与え難くなる。逆にフックシート６０を長くすることで、再着用時に、ベルト部２０をフックシート６０にしっかりと固定できる。また、おむつ１が複数の切り取り線５０を備える場合、各切り取り線５０に対応したフックシート６０が設けられていてもよいし、一部の切り取り線５０に対応したフックシート６０が設けられるだけでもよい。
【００７９】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【符号の説明】
【００８０】
１  おむつ（パンツ型吸収性物品）、２  接合部、３  接合部、
１０  吸収性本体、１１  トップシート、１２  吸収体（吸収性コア）、
１３  バックシート、１４  外装シート、１５  疎水性シート、
２０  ベルト部、２１  弾性部材（糸状弾性部材）、
３０  レッグギャザー部、３１  弾性部材、
４０  シート部材、４１  シート、４２  シート状弾性部材、
５０  切り取り線、６０  フックシート、
ＢＨ  胴回り開口部、ＬＨ  脚回り開口部、
【図１】
2018187217.tif 000003
【図２】
2018187217.tif 000004
【図３】
2018187217.tif 000005
【図４】
2018187217.tif 000006
【図５】
2018187217.tif 000007
【図６】
2018187217.tif 000008
【図７】
2018187217.tif 000009